(57)【要約】【課題】本の収納効率をさらに高めることができる回転式ブックスタンドを提供するものである。【解決手段】基台１と、基台１の上方に本の載置面を上にして設けられ、鉛直方向の回転中心の周りに回転する下板２と、下板２上、回転中心の周りに放射状にかつ等角度で設けられた本の背部を支持する３つの背板３ａ〜３ｃとを有する。【選択図】図１
2012029927.tif 000002
【特許請求の範囲】
【請求項１】
基台と、
前記基台の上方に本の載置面を上にして設けられ、鉛直方向の回転中心の周りに回転する下板と、
前記下板上に、前記回転中心の周りに放射状にかつ等角度で設けられた前記本の背部を支持する３つの背板と
を有することを特徴とする回転式ブックスタンド。
【請求項２】
前記下板上には、各前記背板の端に他の前記背板と並行するように取り付けられた側板を有することを特徴とする請求項１記載の回転式ブックスタンド。
【請求項３】
前記各側板は、前記回転中心の周りの周方向に対して前記背板の端から同じ方向を向いていることを特徴とする請求項２記載の回転式ブックスタンド。
【請求項４】
前記背板上に設けられた天板と、該天板の下方に前記背板に沿って設けられたレールと、該レールに支持されて移動し、前記下板に載せた前記本を側面から押さえる側部支持部材とをさらに有し、
前記側部支持部材は、該側部支持部材が移動する方向に対して交差する方向から見てＴ字形状を有し、該側部支持部材の頂部が前記レールと前記天板の間に挟まれていることを特徴とする請求項１記載の回転式ブックスタンド。
【請求項５】
前記下板は、側方側及び前方側のうち少なくともいずれかが高くなっていることを特徴とする請求項１乃至４のいずれか１項に記載の回転式ブックスタンド。
【請求項６】
基台と、
前記基台の上方に本の載置面を上にして前記鉛直方向に間隔を置いて設けられ、該鉛直方向の回転中心の周りに回転する複数段の下板と、
各前記段において、前記下板上に、前記回転中心の周りに放射状にかつ等角度で設けられた前記本の背部を支持する３つの背板と
を有することを特徴とする回転式ブックスタンド。
【請求項７】
前記回転中心に設けられた回転軸を有し、前記各段において前記下板及び前記背板のうち少なくともいずれかが前記回転軸に取り付けられていることを特徴とする請求項６記載の回転式ブックスタンド。
【請求項８】
前記各段において、前記下板上には、各前記背板の端に他の前記背板と並行するように取り付けられた側板を有することを特徴とする請求項６記載の回転式ブックスタンド。
【請求項９】
前記各段において、各前記側板は、前記回転中心の周りの周方向に対して前記背板の端から同じ方向を向いていることを特徴とする請求項８記載の回転式ブックスタンド。
【請求項１０】
第２段目から上の下板の下方には、前記背板に沿って設けられたレールと、該レールに支持されて移動し、該レール下方の下板に載せた前記本を側面から押さえる側部支持部材とをさらに有し、
前記側部支持部材は、該側部支持部材が移動する方向に対して交差する方向から見てＴ字形状を有し、該側部支持部材の頂部が前記レールと該レール上方の下板の間に挟まれていることを特徴とする請求項６記載の回転式ブックスタンド。
【請求項１１】
前記各段において、前記下板は側方側及び前方側のうち少なくともいずれかが高くなっていることを特徴とする請求項６乃至１０のいずれか１項に記載の回転式ブックスタンド。
【発明の詳細な説明】
【技術分野】
【０００１】
本発明は、本や、ＣＤ、ＤＶＤ、ブルーレイディスクなど音楽や映像を記録したディスクを収納する回転式ブックスタンドに関する。
【背景技術】
【０００２】
従来の回転式ブックスタンドには、下記特許文献１に提案されたものがある。特許文献１では、下板上に、本を仕切る背板が回転中心の周りに放射状にかつ９０度間隔で設けられ、本の収納部として４つの区画が形成されている。
【先行技術文献】
【特許文献】
【０００３】
【特許文献１】特開平１０−１７９２７９号公報
【発明の概要】
【発明が解決しようとする課題】
【０００４】
ところで、最近の住宅事情や、室内空間の有効利用のため、さらに収納効率の良い回転式ブックスタンドが望まれている。
【０００５】
また、特許文献１の回転式ブックスタンドは、回転させたとき、収納した本に遠心力が働くため、収納した本が収納部内で動いて倒れたり、収納部から前方に飛び出したりするという不具合がある。
【０００６】
本発明は、上述の問題点に鑑みて創作されたものであり、本の収納効率をさらに高めることができる回転式ブックスタンドを提供し、又は、本の収納効率をさらに高めるとともに、収納部に収納した本を安定して保持することができる回転式ブックスタンドを提供するものである。
【課題を解決するための手段】
【０００７】
上記課題を解決するため、基台と、前記基台の上方に本の載置面を上にして設けられ、鉛直方向の回転中心の周りに回転する下板と、前記下板上に、前記回転中心の周りに放射状にかつ等角度で設けられた前記本の背部を支持する３つの背板とを有することを特徴とする回転式ブックスタンドが提供される。
【０００８】
また、上述の回転式ブックスタンドにおいて、前記背板上に設けられた天板と、該天板の下方に前記背板に沿って設けられたレールと、該レールに支持されて移動し、前記下板に載せた前記本を側面から押さえる側部支持部材とをさらに有し、前記側部支持部材は、該側部支持部材が移動する方向に対して交差する方向から見てＴ字形状を有し、該側部支持部材の頂部が前記レールと前記天板の間に挟まれていることを特徴とする回転式ブックスタンドが提供される。
【発明の効果】
【０００９】
本発明の回転式ブックスタンドによれば、本の背部を支持する３つの背板が、回転する下板上であって回転中心の周りに放射状にかつ等角度、すなわち１２０度間隔で設けられており、図３（ａ）に示すように本の背部を背板に立てかけて本を並べると、背板が回転中心の周りに放射状にかつ９０度間隔で設けられた図３（ｂ）に示す場合と比べて本の収納効率が良い。
【００１０】
また、回転中心の周りに１２０度の間隔を置いて放射状に設けられた３つの背板に沿って本を並べているので、図４（ａ）に示すように、収納した本に働く遠心力は小さくなり、収納した本は前方には飛び出し難くなる。
【００１１】
一方で、本に横向きに働く遠心力は大きいが、本発明によれば、さらに、背板に沿って移動し、本を側面から押さえる側部支持部材を有するので、収納した本の量に合わせて本を押さえることができる。
【００１２】
しかも、側部支持部材は、側部支持部材が移動する方向に対して交差する方向から見てＴ字形状を有し、側部支持部材の頂部がレールと天板の間に挟まれているため、本が側部支持部材の下部に当たって押されるとてこの原理で該側部支持部材が傾いて頂部の一端が天板の下面に当たり側部支持部材の移動が抑制される。このため、本が倒れようとしても側部支持部材は移動せず元の位置を保持して、本を押さえ続けることができる。これにより、ブックスタンドを回転させても収納した本が収納部内で動いて倒れたり、収納部から飛び出したりするのを抑制できる。
【図面の簡単な説明】
【００１３】
【図１】本発明の第１実施形態に係る回転式ブックスタンドを説明する斜視図である。
【図２】第１実施形態の回転式ブックスタンドにディスクケースや本を収納した状態を示す上面図である。
【図３】第１実施形態の回転式ブックスタンドの収納効率を説明する上面図である。
【図４】第１実施形態の回転式ブックスタンドに収納したディスクケースにかかる遠心力について説明する上面図である。
【図５】第１実施形態の回転式ブックスタンドに適用する本の側部支持部材及びその支持機構について説明する図である。
【図６】本発明の第２実施形態に係る回転式ブックスタンドを説明する斜視図である。
【図７】第２実施形態の回転式ブックスタンドの第１変形例を説明する斜視図である。
【図８】第２実施形態の回転式ブックスタンドの第２及び第３変形例を説明する斜視図である。
【図９】第２実施形態の回転式ブックスタンドの第４変形例を説明する斜視図である。
【図１０】第４変形例の回転式ブックスタンドの組み立て方法を説明する斜視図である。
【図１１】本発明の第３実施形態に係る回転式ブックスタンドを説明する斜視図である。
【図１２】本発明の第４実施形態に係る回転式ブックスタンドを説明する斜視図である。
【図１３】本発明の第５実施形態に係る回転式ブックスタンドを説明する斜視図である。
【図１４】第４及び第５実施形態の回転式ブックスタンドの下板の角度を変えた例を説明する図である。
【図１５】本発明の第６実施形態に係る回転式ブックスタンドを説明する斜視図である。
【発明を実施するための形態】
【００１４】
以下に、本発明の実施形態に係る回転式ブックスタンドについて図面を参照しながら説明する。
【００１５】
（１）本発明の第１の実施形態に係る回転式ブックスタンドについての説明
図１（ａ）は、本発明の第１の実施形態に係る１段の棚を有する回転式ブックスタンド101aを示す斜視図である。図１（ｂ）、（ｃ）は、本回転式ブックスタンドの部材を示す斜視図である。
【００１６】
本回転式ブックスタンド101aは、基台１と、円板状の下板２と、背板３ａ〜３ｃ及び側板４ａ〜４ｃとを有する。
【００１７】
下板２は、基台１上に設けられて、鉛直方向の回転中心の周りを左右に回転する。鉛直方向の回転中心は、円板状の下板２の中心に一致する。背板３ａ〜３ｃは、下板２上であって回転中心から少し偏心させて放射状に、かつ回転中心の周りにほぼ１２０度の角度をおいて配置されている。下板２の中心部上には背板３ａ〜３ｃで囲まれた小さい三角形筒状の隙間２２ａが形成される。また、側板４ａ〜４ｃは、各背板３ａ、３ｂ、３ｃの外側の端に他の背板３ｂ、３ｃ、３ａに並行するように取り付けられている。背板３ａ、３ｂ、３ｃはそれぞれ側板４ｃ、４ａ、４ｂと対になって本などの側部を支持する側板にもなる。背板３ａ及び３ｂと側板４ａ、背板３ｂ及び３ｃと側板４ｂ、背板３ｃ及び３ａと側板４ｃでそれぞれ仕切られた３つの領域が本の収納部となる。なお、以下、各背板３ａ、３ｂ、３ｃにそれぞれ側板４ａ〜４ｃが取り付けられたものを仕切り部材５１と称する。
【００１８】
上述の回転式ブックスタンド101aでは、図２（ａ）、（ｂ）に示すように、３つの収納部にそれぞれ、ディスクケース８や本９が収納される。下板２は、ディスクケースや本を載せ、その下部を支持する。背板３ａ〜３ｃは、ディスクケースや本の背部を支持し、側板４ａ〜４ｃはディスクケースや本の側部を支持する。なお、ディスクケースは、ＣＤ、ＤＶＤ、ブルーレイなどディスクを入れるケースであり、また、以下では、必要なとき以外は、簡略化のため、ディスクケースや本を代表して本と記述する。
【００１９】
次に、図３（ａ）、（ｂ）を参照して収納効率について比較説明する。
【００２０】
図３（ａ）では、図１（ａ）と同様に、下板２ｃ上で３つの背板３ｄ〜３ｆによって仕切られた領域が本の収納部となる。これに対して、図３（ｂ）では、４つの背板３ｇ〜３ｊが、下板２ｄの回転中心の周りに、回転中心から少し偏心させて放射状に、かつほぼ９０度の角度をおいて配置されている。下板２ｄ上で４つの背板３ｇ〜３ｊによって仕切られた領域が本の収納部となる。図３（ａ）及び（ｂ）では、すべての収納部に収納されるディスクケース８の総数がほぼ同じになるように各部材の寸法が決めてある。なお、すべての収納部に収納されるディスクケース８の総数は、図３（ａ）で６６枚、図３（ｂ）で６４枚である。下板２ｃ、２ｄの外縁はブックスタンドを回転させたとき、一番外側のディスクケース８の外縁が描く軌跡と一致する。
【００２１】
図３（ａ）と図３（ｂ）を比較すると、ブックスタンドを回転させたときに一番外側のディスクケース８の外縁が描く軌跡２ｃ、２ｄで囲まれた面積は、図３（ａ）の方が十数％小さくなり、収納効率が良いことが分かる。
【００２２】
次に、図４（ａ）、（ｂ）を参照して、回転式ブックスタンドに収納されたディスクケース８にかかる遠心力について比較説明する。図４（ａ）が本実施形態であり、図４（ｂ）が比較例である。
【００２３】
図４（ａ）では、図１（ａ）と同様に、下板２上で３つの背板３ａ〜３ｃによって仕切られた領域が本の収納部となる。これに対して、図４（ｂ）では、従来例と同様に、４つの背板３ｋ〜３ｎが、下板２ｅの回転中心の周りに、回転中心から少し偏心させて放射状に、かつほぼ９０度の角度をおいて配置されている。なお、４つの背板３ｋ〜３ｎによって仕切られた領域が本の収納部となる。図４（ａ）、（ｂ）ともに一つの収納部に２２枚のディスクケース８を収納している。
【００２４】
図４（ａ）では、一番外側のディスクケース８の前縁には前向きに遠心力foの分力foyが掛かり、後縁には後向きにほぼfoyと同じ大きさの遠心力foの分力が掛かる。また、前縁と後縁の間では、回転中心から引いた水平方向の線に対して前後の対称な部分で互いに逆向きの分力がかかる。すなわち、前向きの分力は後向きの分力によって相殺されるため前向きには大きな遠心力が掛からない。より内側のディスクケース８も程度の差はあれ同様である。よって、収納部のディスクケース８は前方には倒れにくく、あるいは飛び出しにくい。一方、ディスクケース８には前縁及び後縁を含む各部分において、横方向外向きの遠心力foの分力foxが掛かる。すなわち、ディスクケース８には横方向外向きに大きな遠心力が掛かる。よって、収納部のディスクケース８は横方向外向きに倒れやすく、あるいは飛び出し易いといえる。
【００２５】
図４（ｂ）では、一番外側のディスクケース８について、後縁を除く各部分に、程度の差はあれ、前向きに遠心力f1の分力f1yが掛かり、横方向外向きに遠心力f1の分力f1xが掛かる。一方、後縁では前向きにも後向きにも遠心力が掛からず、横方向外向きに遠心力f1がそのまま掛かる。すなわち、一番外側のディスクケース８には前向きにも横方向外向きにも大きな遠心力が掛かる。より内側のディスクケース８も程度の差はあれ同様である。
【００２６】
以上のように、本実施形態（図４（ａ））では、少なくとも横方向外向きの遠心力に対してディスクケース８が倒れず、あるいは飛び出さないような機構を設けるだけでよい。これに対して、比較例（図４（ｂ））では、前向き及び横方向外向きの遠心力に対して本などが倒れず、あるいは飛び出さないような機構を設ける必要がある。
【００２７】
次に、図５（ａ）〜（ｃ）を参照して、回転式ブックスタンドを回転させたとき横方向外向きの遠心力に対して本が倒れたり、収納部から飛び出したりするのを防止する機構について説明する。その機構は、図１（ａ）の回転式ブックスタンドの各収納部に新たに設けることができる。この場合、仕切り部材５１の上に、新たに、天板１７を設ける。
【００２８】
本が収納部から飛び出すのを防止する機構は、図５（ａ）に示すように、天板１７の下方で背板３ａ〜３ｃに沿って設けられたレール１０と、レール１０に支持されて移動し、レール１０下方の下板２に載せた本９を側面から押さえる側部支持部材５２とを有する。背板３ａに沿うレール１０は、一端部が他の背板３ｂに取り付けられ、背板３ｂに沿うレール１０は、一端部が他の背板３ｃに取り付けられ、背板３ｃに沿うレール１０は、一端部が他の背板３ａに取り付けられる。
【００２９】
側部支持部材５２は、側部支持部材５２が移動する方向に対して交差する方向から見たとき、図５（ｂ）に示すように、Ｔ字形状を有し、その頂部１１がレール１０と天板１７の間に挟まれている。図５（ｃ）に示すように、本９が側部支持部材５２の下部１２に当たって押されると、てこの原理で側部支持部材５２が傾いて頂部１１の一端が天板１７の下面に当たり側部支持部材５２の移動が抑制される。このため、本が倒れようとしても側部支持部材５２は移動せず元の位置を保持して、本９を押さえ続けることができる。これにより、ブックスタンドを回転させても収納した本が収納部内で動いて倒れたり、収納部から飛び出したりするのを抑制できる。
【００３０】
なお、図５に示す側部支持部材５２及びその支持機構は、回転中心の周りに３つの収納部を有するブックスタンドのみならず、図３（ｂ）のように、回転中心の周りに３つ以外の複数（２又は４以上）の収納部を有する回転式ブックスタンドにも適用可能である。
【００３１】
（２）本発明の第２の実施形態に係る回転式ブックスタンドについての説明
図６（ａ）は、本発明の第２の実施形態に係る、高さ方向に４段の棚を有する回転式ブックスタンド101bを示す斜視図である。図６（ｂ）は、本回転式ブックスタンドに用いる下板２ａを示す斜視図である。
【００３２】
本回転式ブックスタンド101bは、図６（ａ）に示すように、図１（ａ）に示す１段の棚を有する回転式ブックスタンド101aの上に、下板２ａと図１（ｂ）に示す仕切り部材５１とが交互に、かつ回転中心の周りに１段目の棚と同じ配置で３段積層されている。下板２ａの上下面において回転中心の周りの同じ位置に溝７ａ〜７ｃ、６ａ〜６ｃが形成され、下板２ａの上下にくる背板３ａ、３ｂ、３ｃの下縁及び上縁を嵌め込むようになっている。なお、溝６ａ、６ｂは下板２ａ下面に設けられているが、隠れているため見えない。
【００３３】
各段の下板２、２ａ上で、背板３ａ及び３ｂと側板４ａ、背板３ｂ及び３ｃと側板４ｂ、背板３ｃ及び３ａと側板４ｃでそれぞれ仕切られた３つの領域が本の収納部となる。
【００３４】
なお、本回転式ブックスタンド101bでも、各段の各収納部に、下板２ａを利用して、図５に示す側部支持部材５２及びその支持機構を設けることが可能である。それでは、図５の天板１７を下板２ａに置き換えたものとなる。
【００３５】
（第１変形例）
図７（ａ）は、第１変形例の回転式ブックスタンド101cを示す斜視図であり、図７（ｂ）は、図６（ｂ）に示す下板２ａの代わりに用いる下板２ｂを示す斜視図である。
【００３６】
本回転式ブックスタンド101cでは、回転式ブックスタンド101bと異なり、各段の仕切り部材５１を回転中心の周りに順次角度をずらして配置し、また、これに対応して、下板２ｂの上下面で、背板３ａ、３ｂ、３ｃを嵌め込む溝７ａ〜７ｃ、６ａ〜６ｃも位置をずらしている。なお、溝６ａ、６ｂは下板２ｂに隠れているため図面に明示していない。
【００３７】
各段の下板２、２ｂ上で、背板３ａ及び３ｂと側板４ａ、背板３ｂ及び３ｃと側板４ｂ、背板３ｃ及び３ａと側板４ｃでそれぞれ仕切られた３つの領域が本の収納部となる。
【００３８】
なお、本回転式ブックスタンド101cでも、各段の各収納部に、下板２ｂを利用して、図５に示す側部支持部材５２及びその支持機構を設けることが可能である。それでは、図５の天板１７を下板２ｂに置き換えたものとなる。
【００３９】
（第２及び第３変形例）
図８（ａ）、（ｂ）は、それぞれ、第２及び第３変形例の回転式ブックスタンド101d、101eを示す斜視図である。
【００４０】
第２変形例の回転式ブックスタンド101dにおいては、図８（ａ）に示すように、図６（ａ）に示す側板４ａ〜４ｃの代わりに、下板２、２ａ上面の側方側に細い棒状部材４ｄ〜４ｆを立てている。なお、棒状部材４ｄは背板３ａの向こう側に設けられているが、背板３ａに隠れて見えない。
【００４１】
また、第３変形例の回転式ブックスタンド101eにおいては、図８（ｂ）に示すように、下板２、２ａ上に側板４ａ〜４ｃや棒状部材４ｄ〜４ｆを設けず、その代わりにブックエンド１５を置いている。なお、収納部の空間形状に合わせて作製した収納箱１６を収納部に収納するようにしてもよい。
【００４２】
（第４変形例）
図９及び図１０（ａ）〜（ｃ）を参照して、第４変形例について説明する。
【００４３】
第４変形例では、図９に示すように、図１（ｃ）に示す下板２の中心部に鉛直上向きに円柱状の支持軸（回転軸）１３を設ける。支持軸１３は下板２とともに回転する。また、図６（ｂ）に示す下板２ａの代わりに、中心部に支持軸１３を通す穴２３が形成された下板２ｆを用いる。下板２ｆの上面及び下面には回転中心の周りの同じ位置に、背板３ａ〜３ｃの下縁及び上縁を嵌め込む溝７ｄ〜７ｆ、６ｄ〜６ｆが形成されている。
【００４４】
第４変形例に係る回転式ブックスタンドを作製するには、仕切り部材５１の中心部に形成された三角形筒状の隙間２２ａに支持軸１３を通して仕切り部材５１を下板２上に載せるとともに、背板３ａ〜３ｃの下縁を溝５ａ〜５ｃに嵌め込む。
【００４５】
次に、仕切り部材５１上に、下板２ｆの中心部の穴２３に支持軸１３を通して下板２ｆを載せる。このとき、背板３ａ〜３ｃの上縁を下板２ｆ下面の溝６ｄ〜６ｆに嵌め込む。さらに、下板２ｆ上に、仕切り部材５１の中心部の隙間２２ａに支持軸１３を通して仕切り部材５１を載せる。このとき、背板３ａ〜３ｃの下縁を下板２ｆ上面の溝７ｄ〜７ｆに嵌め込む。このようにして、下板２ｆと仕切り部材５１を複数組、順次積層することにより、高さ方向に複数段の棚を有する回転式ブックスタンドを作製することができる。
【００４６】
なお、下板２ｆは、上述のように、仕切り部材５１の上に、下板２ｆの中心部の穴２３に支持軸１３を通し、溝６ｄ〜６ｆに背板３ａ〜３ｃの上縁を嵌めこんで載せ、固定するだけでもよいが、図１０（ａ）〜（ｃ）に示すように、支持軸１３に断面が台形状の止め部材１４を取り付けて、止め部材１４によりさらにしっかりと支持軸１３に固定するようにしてもよい。なお、図１０（ａ）中、符号１３ａは支持軸１３外面に設けられた凹部、１４ａ、１４ｂは支持軸１３を両側から挟むようにして組合わせる、止め部材１４を構成する部材、１４ｃは止め部材１４内面に設けられ、支持軸１３外面の凹部１３ａに嵌め込まれる凸部である。
【００４７】
なお、この第４変形例は、図１、図７及び図８の回転式ブックスタンドにも適用できる。図１の回転式ブックスタンドに適用する場合、下板２上に１つの仕切り部材５１だけを載せるため、図９に示す支持軸１３を仕切り部材５１の高さ程度に短くするとよい。図７の回転式ブックスタンドに適用する場合、図９に示す下板２ｆの上下面の溝７ｄ〜７ｆ、６ｄ〜６ｆは、下板２ｂの上下面の溝と同じ配置になるようにする。
【００４８】
以上のように、第１、第２実施形態及び第１〜第４変形例に係る回転式ブックスタンドによれば、本の背部を支持する３つの背板が、回転する下板上であって回転中心の周りに放射状にかつ１２０度間隔で設けられているため、本の背部を背板に立てかけて本を並べた場合、本の収納効率が良い。
【００４９】
また、回転中心の周りに１２０度の間隔を置いて放射状に設けられた３つの背板に沿って本を並べているため、ブックスタンドに収納された本は前方には飛び出し難くなる。
【００５０】
一方で、本に横方向外向きに働く遠心力は大きいが、側板などを設けることで、ブックスタンドを回転させたときに、収納した本が倒れたり、収納部から飛び出したりするのを抑制できる。
【００５１】
また、側板などの代わりに、図５に示す側部支持部材５２及びその支持機構を設けることで、収納した本の量に合わせて本を押さえることができるとともに、ブックスタンドを回転させたときに、収納した本が収納部内で動いて倒れたり、収納部から飛び出したりするのを抑制できる。
【００５２】
（３）本発明の第３の実施形態に係る回転式ブックスタンドについての説明
図１１（ａ）〜（ｃ）は、本発明の第３の実施形態に係る回転式ブックスタンドについて説明する斜視図であり、図１１（ａ）、（ｂ）は、組み立て途中の状態を示す斜視図であり、図１１（ｃ）は、完成図である。
【００５３】
本実施形態の回転式ブックスタンド102において、図６（ａ）の回転式ブックスタンドと異なるところは、背板３ｏ〜３ｑが、下板２、２ｇ上であって回転中心の周りにかつ回転中心から偏心させずに、放射状に、かつ１２０度の角度をおいて配置されている点であり、また、これに対応して、下板２の上面に形成された溝５ｄ〜５ｆと、下板２ｇの上面及び下面に形成された溝７ｇ、７ｈ、７ｉ、６ｇ、６ｈ、６ｉも、回転中心の周りにかつ回転中心から偏心させずに、放射状にかつ１２０度の角度をおいて配置されている点である。なお、溝６ｇ、６ｈは、下板２ｇの下面であって溝７ｇ、７ｈに対応する位置に設けられているが、下板２ｇに隠れて見えない。
【００５４】
なお、図１１（ａ）〜（ｃ）中、符号４ｇ、４ｈ、４ｉはそれぞれ、背板３ｏ、３ｐ、３ｑの端に他の背板３ｐ、３ｑ、３ｏと並行するように取り付けられ、下板２、２ｇ上に置かれる側板であり、５４は背板３ｏ〜３ｑ及び側板４ｇ〜４ｉからなる仕切り部材であり、１７は最上段の仕切り部材５４上に設けられた天板である。
【００５５】
（４）本発明の第４の実施形態に係る回転式ブックスタンドについての説明
図１２（ａ）、（ｂ）は、本発明の第４の実施形態に係る回転式ブックスタンドについて説明する斜視図であり、図１２（ａ）は、組み立て途中の状態を示す斜視図、図１２（ｂ）は、完成図である。
【００５６】
本実施形態の回転式ブックスタンド103において、図１１（ｃ）と異なるところは、回転中心の周りに放射状にかつ等角度で配置された各背板３ｒ、３ｓ、３ｔとしてそれぞれ、第１段の棚から第５段の棚にわたって延在する一枚の板を用いた点と、２段目から上の下板２ｈとして、各段の各収納部別に平行四辺形状の板を用いた点である。各背板３ｒ、３ｓ、３ｔには、各段に対応する位置に、下板２ｈを取り付ける穴（係止部）１８ａ、１８ｂを２箇所設け、下板２ｈには、係止部１８ａ、１８ｂに対応して下板２ｈ縁部の一辺の２箇所に下向き爪状の被係止部１９ａ，１９ｂを設けている。
【００５７】
本実施形態の回転式ブックスタンド103を作製するには、各背板３ｒ、３ｓ、３ｔの係止部１８ａ、１８ｂに下板２ｈの被係止部１９ａ，１９ｂを引っ掛けて、各背板３ｒ、３ｓ、３ｔに下板２ｈを取り付ける。
【００５８】
各背板３ｒ、３ｓ、３ｔへの下板２ｈの取り付け方は、下板２が水平になるように取り付けてもよいし、図１４（ａ）に示すように、側方側及び前方側の両方が高くなるように取り付けてもよい。図１４（ａ）に示すように下板２ｈを取り付けることで、ブックスタンドを回転させたときに収納部に収納された本９が側方にも前方にも飛び出し難くなる。
【００５９】
（５）本発明の第５の実施形態に係る回転式ブックスタンドについての説明
図１３は、本発明の第５の実施形態に係る回転式ブックスタンド104について示す斜視図である。
【００６０】
本回転式ブックスタンド104は、高さ方向に５段の棚を有し、各段において回転中心の周りに３つの収納部を有する。
【００６１】
本回転式ブックスタンド104においては、平行四辺形状の下板２ｉと四辺形状の背板３ｕとが一体化された部材５５が用いられ、部材５５は各段の各収納部に対応する。また、図９の下側に示す部材に類似した、最下段の下板２の中心部に鉛直上向きに支持軸１３が取り付けられた部材が用いられる。この部材でも、下板２とともに支持軸１３が回転する。
【００６２】
各部材５５は、各段の各収納部を配置する箇所に、背板３ｕを支持軸１３に固定して取り付けられている。背板３ｕは、支持軸１３の周りに、回転中心から少し偏心させて放射状にかつほぼ１２０度の角度をおいて配置されている。また、各部材５５には側方側に穴２１が設けられ、下板２上面には、支持軸１３の周りの３箇所に、鉛直上向きに延びる棒状部材４ｊ〜４ｌが取りつけられている。各棒状部材４ｊ〜４ｌは高さ方向に５段配置された下板２ｉの穴２１をすべて通るように配置される。棒状部材４ｊは収納部に収納された本の側部を支持する。
【００６３】
各部材５５は、支持軸１３に取り付けたときに、下板２ｉが水平になるように作製されてもよいし、図１４（ｂ）に示すように、下板２ｉの前方が高くなるように作製されてもよい。また、図１４（ｃ）に示すように、水平な下板２ｉの載置面の前方側に下板２ｉの横幅にわたって板状部材２４を設けてもよい。図１４（ｂ）、（ｃ）によれば、収納部に本９が後に傾くように収納されるため、ブックスタンドを回転させたとき、収納部から前方に本９が飛び出すのを抑制できる。
【００６４】
（６）本発明の第６の実施形態に係る回転式ブックスタンドについての説明
図１５（ａ）〜（ｃ）は、本発明の第６の実施形態に係る回転式ブックスタンド105について説明する斜視図であり、図１５（ａ）、（ｂ）は、組み立て途中の状態を示す斜視図、図１５（ｃ）は、完成図である。
【００６５】
本回転式ブックスタンド105は、高さ方向に４段の棚を有し、各段において回転中心の周りに３つの収納部を有する。
【００６６】
本回転式ブックスタンド105においては、図１５（ａ）に示すように、平行四辺形状の下板２ｊと四辺形状の背板３ｖと平行四辺形状の天板１７ａとが一体化された部材５６を用いる。部材５６は、各段の各収納部に対応する。また、図１５（ｂ）に示すように、３つの部材５６を用い、背板３ｖが、中心の周りにかつ中心から少し偏心させて放射状にかつほぼ１２０度の間隔をおいて配置されるように、接着剤などによって部材５６相互が固定される。相互に固定された３つの部材５６を上面から見たとき外形がほぼ六角形状となり、その中心部には背板３ｖで囲まれた小さい三角形筒状の隙間２２ｃが形成される。また、図９の下側に示す部材に類似した、最下段の下板２の中心部に鉛直上向きに支持軸１３が取り付けられた部材が用いられる。この部材でも、下板２とともに支持軸１３が回転する。
【００６７】
本回転式ブックスタンド105を作製するには、相互に固定された３つの部材５６の隙間２２ｃに支持軸１３を通して、相互に固定された３つの部材５６を下板２上に４段重ね、さらに相互に固定する。
【００６８】
なお、第３〜第６の実施形態に係る回転式ブックスタンドにおいても、図５に示す側部支持部材５２及びその支持機構を設けることができる。
【００６９】
以上のように、第３〜第６の実施形態に係る回転式ブックスタンドにおいても、本の背部を支持する３つの背板が、下板上、回転中心の周りに放射状にかつ１２０度間隔で設けられており、本の収納効率が良い。
【００７０】
また、回転中心の周りに放射状にかつ１２０度の間隔を置いて設けられた３つの背板に沿って本を並べるので、本は前方には飛び出し難くなる。
【００７１】
一方で、本に横方向外向きに働く遠心力は大きいが、側板などを設けることで、ブックスタンドを回転させたときに、収納した本が収納部から飛び出すのを抑制できる。
【００７２】
特に、側板などの代わりに、図５に示す側部支持部材５２及びその支持機構を設けることで、収納した本の量に合わせて本を押さえることができるとともに、ブックスタンドを回転させたときに、収納した本が収納部内で動いて倒れたり、収納部から飛び出したりするのを抑制できる。
【符号の説明】
【００７３】
１…基台、２、２ａ〜２ｊ…下板、３ａ〜３ｖ…背板、４ａ〜４ｃ、４ｇ〜４ｉ…側板、４ｄ〜４ｆ、４ｊ〜４ｌ…棒状部材、５ａ〜５ｆ、６ａ〜６ｉ、７ａ〜７ｉ…溝、８…ディスクケース、９…本、１０…レール、１１…頂部、１２…下部、１３…支持軸（回転軸）、１３ａ…凹部、１４、１４ａ、１４ｂ…止め部材、１４ｃ…凸部、１５…ブックエンド、１６…収納箱、１７…天板、１８ａ、１８ｂ…係止部、１９ａ、１９ｂ…被係止部、２０ａ、２０ｂ、２１、２３…穴、２２ａ、２２ｂ、２２ｃ…三角形筒状の隙間、２４…板状部材、５１、５３、５４、５５、５６…仕切り部材、５２…側部支持部材、１０１ａ、１０１ｂ、１０１ｃ、１０１ｄ、１０１ｅ、１０２、１０３、１０４、１０５…回転式ブックスタンド。
【図１】
2012029927.tif 000003
【図２】
2012029927.tif 000004
【図３】
2012029927.tif 000005
【図４】
2012029927.tif 000006
【図５】
2012029927.tif 000007
【図６】
2012029927.tif 000008
【図７】
2012029927.tif 000009
【図８】
2012029927.tif 000010
【図９】
2012029927.tif 000011
【図１０】
2012029927.tif 000012
【図１１】
2012029927.tif 000013
【図１２】
2012029927.tif 000014
【図１３】
2012029927.tif 000015
【図１４】
2012029927.tif 000016
【図１５】
2012029927.tif 000017